(57)【要約】【課題】    耐久性および利便性に優れた施錠機構付き引手装置、およびこれを備えたサッシ窓を提供すること。【解決手段】障子１５の框材（縦框）１８に取り付けた引手部材２１を回動させ、枠材（縦枠）１３に設けた受け部材２２に係合させることで、施錠状態が構成されるので、利用者が必要に応じて引手部材２１と受け部材２２とを係合させればよく、障子１５を開閉するたびに自動的に係合されることがないため、これらの部材の耐久性を確保することができるとともに、施錠状態および開錠状態を利用者が任意に選択することができるので、施錠状態としなければ室外側からでも障子１５を開放することができるため、利用者が閉め出されてしまうことがなく、利便性を確保することができる。【選択図】  図３
2005133383.tif 000002
【特許請求の範囲】
【請求項１】
サッシ窓の窓枠内に開閉自在に支持された障子の框材の室内側に取り付けられ、当該障子の開閉時に手で掴んで開閉操作するための引手部材と、
前記障子を閉じた際に前記框材が当接する前記窓枠の枠材に設けられた受け部材とを備え、
前記引手部材および受け部材のいずれか一方の部材は、前記框材または枠材に対して回動可能またはスライド可能に、かつ他方の部材に係合可能に設けられ、前記障子を閉じた状態において、一方の部材を回動またはスライドさせて、他方の部材に係合させることで、前記障子の開放動作が規制された施錠状態が構成される施錠機構付き引手装置。
【請求項２】
前記引手部材は、前記框材の長手方向に沿った回動軸を中心にして回動可能に取り付けられるとともに、前記回動軸に一端が連結された腕部と、この腕部の他端に連結され、前記障子の開閉時に手で掴む把持部とを有し、
前記受け部材は、前記枠材に基端が固定されるとともに、当該枠材の見付け方向内方側に延出し、この延出した先端に室内側に折れ曲がった折曲部が形成され、
前記障子を閉じた状態において、前記引手部材を回動させ、前記把持部を前記受け部材の折曲部に係合させることで、前記施錠状態が構成される請求項１に記載の施錠機構付き引手装置。
【請求項３】
前記引手部材は、前記框材に一端が固定され、かつ当該縦框から室内側に向かって延びる腕部と、この腕部の他端に連結されて前記框材と略平行に延び、前記障子の開閉時に手で掴む把持部とを有し、
前記受け部材は、前記枠材の長手方向に沿った回動軸を中心にして回動可能に取り付けられるとともに、前記回動軸に基端が連結されて延出し、この延出した先端に室外側に折れ曲がった折曲部が形成され、
前記障子を閉じた状態において、前記受け部材を回動させ、前記折曲部を前記引手部材の把持部に係合させることで、前記施錠状態が構成される請求項１に記載の施錠機構付き引手装置。
【請求項４】
前記引手部材は、前記框材に一端が固定され、かつ当該框材から室内側に向かって延びる腕部と、この腕部の他端に連結されて前記框材と略平行に延び、前記障子の開閉時に手で掴む把持部と、前記腕部の一端部から室内側に突出して形成された被係合部とを有し、
前記受け部材は、前記枠材に対してスライド可能に取り付けられるとともに、当該枠材の見付け方向内方側に延出し、この延出した先端に室外側に折れ曲がった係合部が形成され、
前記障子を閉じた状態において、前記受け部材をスライドさせ、前記係合部を前記引手部材の被係合部に係合させることで、前記施錠状態が構成される請求項１に記載の施錠機構付き引手装置。
【請求項５】
前記施錠状態において、前記障子は、互いに係合された前記引手部材および受け部材によって上方への移動が規制されている請求項１から請求項４のいずれかに記載の施錠機構付き引手装置。
【請求項６】
上枠、下枠、および左右の縦枠を四周枠組みして形成された窓枠と、上框、下框、および左右の縦框を四周框組みした内部に面材を嵌め込んで形成された障子と、請求項１から請求項５のいずれかに記載の施錠機構付き引手装置とを備えたサッシ窓。
【発明の詳細な説明】
【技術分野】
【０００１】
本発明は、施錠機構付き引手装置、およびこれを備えたサッシ窓に関する。
【背景技術】
【０００２】
サッシ窓において、窓枠内部に開閉可能に支持された障子の戸先側縦框に、障子の開閉時に手で掴んで開閉操作するための引手が取り付けられ、この引手の操作に連動して施錠、および開錠が切り換え可能に構成された引手装置が提案されている（例えば、特許文献１参照）。
特許文献１に記載された引手装置は、障子の縦框から室内側に突出して回動可能に取り付けられた引手部材と、この引手部材の基端部に連結されて縦框内部から縦枠側に突出して設けられた係止金具と、この係止金具が係合する縦枠の係止軸とを備えて構成されている。そして、引手部材および係止金具は、係止金具が係止軸に係合する方向に付勢されており、引手部材を開放方向に引く操作に連動して係止金具が係止軸から外れて障子が開放され、障子を閉じた状態では、係止金具が係止軸に係合して施錠されるようになっている。
【０００３】
【特許文献１】特開２０００−５４７１２号公報
【発明の開示】
【発明が解決しようとする課題】
【０００４】
しかしながら、特許文献１に記載の引手装置では、障子を閉じた際に、付勢された係止金具が自動的に係止軸に係合するため、障子を開閉するたびに、係止金具が係止軸から外れたり、係合したりを繰り返すことになり、係止金具や係止軸の耐久性の点で問題がある。さらに、引手部材を操作しなければ障子を開放することができないため、例えば利用者が室外から障子を閉じた場合に、室外から障子を開くことができずに閉め出されてしまい、サッシ窓を利用する上で不便を生じるという問題がある。
【０００５】
本発明の目的は、耐久性および利便性に優れた施錠機構付き引手装置、およびこれを備えたサッシ窓を提供することにある。
【課題を解決するための手段】
【０００６】
本発明の施錠機構付き引手装置は、サッシ窓の窓枠内に開閉自在に支持された障子の框材の室内側に取り付けられ、当該障子の開閉時に手で掴んで開閉操作するための引手部材と、前記障子を閉じた際に前記框材が当接する前記窓枠の枠材に設けられた受け部材とを備え、前記引手部材および受け部材のいずれか一方の部材は、前記縦框または縦枠に対して回動可能またはスライド可能に、かつ他方の部材に係合可能に設けられ、前記障子を閉じた状態において、一方の部材を回動またはスライドさせて、他方の部材に係合させることで、前記障子の開放動作が規制された施錠状態が構成されることを特徴とする。
【０００７】
このような構成によれば、障子の縦框に取り付けられた引手部材、および縦枠に設けられた受け部材のいずれか一方の部材を、回動またはスライドさせて他方の部材に係合させることで、施錠状態が構成されるので、利用者が必要に応じて引手部材と受け部材とを係合させればよく、障子を開閉するたびに自動的に係合されることがないため、引手部材や受け部材の耐久性を確保することができる。
さらに、施錠状態および開錠状態を利用者が任意に選択することができ、障子を閉じた状態においても、引手部材と受け部材とを係合させなければ、施錠状態とならないので、引手部材やそれ以外の部分を操作して障子を開放することができ、室外側からでも障子を開放することができるため、利用者が閉め出されてしまうことがなく、利便性を確保することができる。
【０００８】
また、引手部材が框材の室内側に取り付けられているので、この引手部材と係合する受け部材が框材よりもさらに室内側に配置されることになり、施錠状態において引手部材と受け部材との係合部分に、室外側から工具等が容易に届かないため、防犯性を高めることができる。
さらに、引手部材と受け部材との係合部分に若干の遊びを設けておけば、障子の框材と窓枠の枠材との間に隙間が形成されるので、施錠状態において、防犯性能を維持したまま換気機能を付加することができる。
【０００９】
この際、本発明の施錠機構付き引手装置では、前記引手部材は、前記框材の長手方向に沿った回動軸を中心にして回動可能に取り付けられるとともに、前記回動軸に一端が連結された腕部と、この腕部の他端に連結され、前記障子の開閉時に手で掴む把持部とを有し、前記受け部材は、前記枠材に基端が固定されるとともに、当該枠材の見付け方向内方側に延出し、この延出した先端に室内側に折れ曲がった折曲部が形成され、前記障子を閉じた状態において、前記引手部材を回動させ、前記把持部を前記受け部材の折曲部に係合させることで、前記施錠状態が構成されることが好ましい。
【００１０】
このような構成によれば、引手部材を回動させて受け部材に係合させることで、施錠状態が構成されるので、上述と同様に引手装置の耐久性および利便性を確保することができる。
この際、受け部材を枠材に一体に形成してもよく、また別体に形成した受け部材を枠材に固定してもよい。受け部材を枠材に一体に形成する場合には、通常アルミ形材で形成される枠材の長手方向に沿って受け部材を設けることで、容易に形成することができる。また、受け部材を枠材と別体に形成し固定する場合には、受け部材としてのピースをビス止めや溶接、嵌め込み等の固定手段で枠材に固定するだけでよく、枠材自体の形状を変更することなく、通常の枠材を用いることができるので、枠材の設計、製造にかかるコストの増加を防止することができる。
【００１１】
また、本発明の施錠機構付き引手装置では、前記引手部材は、前記框材に一端が固定され、かつ当該框材から室内側に向かって延びる腕部と、この腕部の他端に連結されて前記框材と略平行に延び、前記障子の開閉時に手で掴む把持部とを有し、前記受け部材は、前記枠材の長手方向に沿った回動軸を中心にして回動可能に取り付けられるとともに、前記回動軸に基端が連結されて延出し、この延出した先端に室外側に折れ曲がった折曲部が形成され、前記障子を閉じた状態において、前記受け部材を回動させ、前記折曲部を前記引手部材の把持部に係合させることで、前記施錠状態が構成されるようにしてもよい。
【００１２】
さらに、本発明の施錠機構付き引手装置では、前記引手部材は、前記框材に一端が固定され、かつ当該框材から室内側に向かって延びる腕部と、この腕部の他端に連結されて前記框材と略平行に延び、前記障子の開閉時に手で掴む把持部と、前記腕部の一端部から室内側に突出して形成された被係合部とを有し、前記受け部材は、前記枠材に対してスライド可能に取り付けられるとともに、当該枠材の見付け方向内方側に延出し、この延出した先端に室外側に折れ曲がった係合部が形成され、前記障子を閉じた状態において、前記受け部材をスライドさせ、前記係合部を前記引手部材の被係合部に係合させることで、前記施錠状態が構成されるようにしてもよい。
【００１３】
これらの構成によっても、受け部材を回動させて引手部材の把持部に係合させる、または受け部材をスライドさせて引手部材の被係合部に係合させることで、施錠状態が構成されるので、上述と同様に引手装置の耐久性および利便性を確保することができる。
【００１４】
また、本発明の施錠機構付き引手装置では、前記施錠状態において、前記障子は、互いに係合された前記引手部材および受け部材によって上方への移動が規制されていることが好ましい。
このような構成によれば、施錠状態において、障子の上方への移動が規制されるので、障子を持ち上げて窓枠から外すことができず、さらに防犯性を向上させることができる。
【００１５】
一方、本発明のサッシ窓は、上枠、下枠、および左右の縦枠を四周枠組みして形成された窓枠と、上框、下框、および左右の縦框を四周框組みした内部に面材を嵌め込んで形成された障子と、前記いずれかの施錠機構付き引手装置とを備えたことを特徴とする。
このような構成によれば、前述と同様の作用効果を有した引違い窓、片引き窓、上げ下げ窓、開き窓、辷り出し窓等のサッシ窓を構成することができる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１７】
〔第１実施形態〕
本発明の第１実施形態に係る施錠機構付き引手装置、およびこれを備えたサッシ窓について、図１ないし図５に基づいて説明する。
図１は、本実施形態のサッシ窓としての引違い窓１０を示す室内側から見た正面図である。図２(Ａ)，(Ｂ)は、引違い窓１０の一部を拡大して示す正面図である。図３は、引違い窓１０に設けられた施錠機構付き引手装置２０を示す斜視図である。図４、５は、それぞれ施錠機構付き引手装置２０を示す横断面図である。
なお、本実施形態では、引違い窓１０について説明を行うが、本発明のサッシ窓は、引違い窓に限らず、片引き窓であってもよい。
【００１８】
図１において、引違い窓１０は、図示しない建物の室内空間と室外空間とを仕切る外壁面に設けられている。そして、引違い窓１０は、それぞれアルミ押出形材製の上枠１１、下枠１２、および左右の縦枠１３を四周枠組みした窓枠１４と、この窓枠１４の内側に開閉自在に支持された障子１５とを備えて構成されている。障子１５は、アルミ押出形材製の上框１６、下框１７、および左右の縦框１８を四周框組みした内部に、面材であるガラスパネル１９を嵌め込んで構成されている。そして、障子１５は、召合せ側の縦框（召合せ框）１８同士を係合する図示しないクレセントによって施錠可能に構成されている。また、障子１５の戸先側の縦框（戸先框）１８には、施錠機構付き引手装置２０が設けられている。
【００１９】
図２〜４において、本実施形態の施錠機構付き引手装置２０は、障子１５の縦框１８の室内側に取り付けられ、障子１５の開閉時に手で掴んで開閉操作するための引手部材２１と、この引手部材２１に対応して縦枠１３に設けられた受け部材２２とを備えて構成されている。
引手部材２１は、縦框１８にビス止め固定された全体略コ字形の支持部材２３に、上下に延びる回動軸２４を介して回動可能に取り付けられている。また、引手部材２１は、回動軸２４に沿って上下に延びる基部２１１と、基部２１１の上下端から水平に延びる２本の腕部２１２と、これらの腕部２１２の先端同士を連結して上下に延び、障子１５の開閉時に手で掴むための把持部２１３とを有して、全体略ロ字形に形成されている。すなわち、引手部材２１は、回動軸２４に一端が連結された腕部２１２の水平長さに応じた回転半径で回動可能に支持部材２３に支持されている。
【００２０】
受け部材２２は、板材から曲げ加工によって形成されたピースであって、縦枠１３の側面にビス止め固定される基板部２２１と、この基板部２２１から縦枠１３の見付け方向内方側に延出する延出部２２２と、この延出部２２２の先端から室内側に折れ曲がった折曲部２２３とを有して形成されている。そして、受け部材２２の折曲部２２３は、障子１５を閉じた状態において引手部材２１を縦枠１３側に回動させることで、引手部材２１の把持部２１３に係合可能になっている。このように、引手部材２１の把持部２１３と、受け部材２２の折曲部２２３とが係合することで、障子１５の開放動作が規制された施錠状態が構成される。また、引手部材２１を縦枠１３から離れるガラスパネル１９側に回動させることで、把持部２１３と折曲部２２３との係合が外れ、障子１５を開放させることができる開錠状態が構成される。
【００２１】
また、図４、５に示すように、障子１５を完全に閉じた状態において、引手部材２１の把持部２１３と、受け部材２２の折曲部２２３との間には、若干の間隔（遊び）ができるようになっている。そして、この状態で障子１５を開けば、縦枠１３と障子１５との間に隙間が形成され、この隙間を通して室内空間を換気することができるようになっている。
なお、この隙間は、工具等を室外側から室内側に差し込むことができず、把持部２１３と折曲部２２３との係合を室外から外せない程度の大きさに設定されている。
【００２２】
さらに、特に図示しないが、受け部材２２の折曲部２２３の上下寸法を、引手部材２１の上下の腕部２１２の間隔寸法よりも若干小さい寸法に設定する、あるいは受け部材２２の折曲部２２３の下端を、引手部材２１の下側の腕部２１２に近接させて取り付ければ、引手部材２１、つまり障子１５の上方への移動が規制されることになる。すなわち、施錠状態において障子１５を上方に持ち上げようとしても、引手部材２１の下側の腕部２１２が受け部材２２の折曲部２２３に係止され、障子１５が持ち上がらないようになっている。
【００２３】
また、回動操作される引手部材２１には、通常の開錠状態において引手部材２１がガラスパネル１９側に位置決めされる開錠時位置決め手段と、施錠状態において引手部材２１が縦枠１３側に位置決めされる施錠時位置決め手段とが設けられていることが望ましい。このような位置決め手段を備えることで、引手部材２１は、障子１５の開閉操作に伴って回動してしまうことがなく、また受け部材２２との係合状態が良好に維持されるようになる。
【００２４】
このような本実施形態によれば、以下のような効果がある。
（１）引手部材２１を回動させて把持部２１３を受け部材２２の折曲部２２３に係合させることで、障子１５の開放動作が規制された施錠状態が構成されるので、利用者が必要に応じて引手部材２１と受け部材２２とを係合させればよく、障子１５を開閉するたびに自動的に係合されることがないため、引手部材２１や受け部材２２の摩耗を防止して耐久性を確保することができる。
【００２５】
（２）また、施錠状態および開錠状態を利用者が任意に選択することができ、障子１５を閉じた状態においても、引手部材２１と受け部材２２とを係合させなければ、施錠状態とならないので、引手部材２１やそれ以外の部分を操作して障子１５を開放することができ、室外側からでも障子１５を開放できるため、利用者が閉め出されてしまうことがなく、利便性を確保することができる。
【００２６】
（３）さらに、引手部材２１が縦框１８の室内側に取り付けられ、この引手部材２１と係合する受け部材２２が縦框１８よりもさらに室内側に配置されているので、施錠状態において引手部材２１と受け部材２２との係合部分が室外側から見えにくく、かつ係合部分に工具等が容易に届かないため、防犯性を高めることができる。
【００２７】
（４）また、施錠状態において、引手部材２１の把持部２１３と、受け部材２２の折曲部２２３との間に若干の遊びを設けたので、縦框１８と縦枠１３との間に隙間が形成され、この隙間を通して室内を換気できるため、防犯性能を維持したまま換気機能を付加することができる。
【００２８】
（５）縦枠１３と別体に形成した受け部材２２を、縦枠１３にビス止め固定する構成としたので、縦枠１３の枠材自体の形状を変更する必要がないため、通常の枠材を用いることができ、枠材の設計、製造にかかるコストの増加を防止することができる。
【００２９】
（６）引手部材２１を縦框１８にビス止め固定する構成としたので、縦框１８の框材自体の形状を変更する必要がないため、通常の框材を用いることができ、枠材の設計、製造にかかるコストの増加を防止することができる。これにより、既設のサッシ窓に、本実施形態の施錠機構付き引手装置２０を後付けで取り付けることもできる。
【００３０】
（７）また、互いに係合した引手部材２１および受け部材２２によって、障子１５の上方への移動を規制すれば、施錠状態において、障子１５を持ち上げて窓枠１４から外せないようにできるので、さらに防犯性を向上させることができる。
【００３１】
〔第２実施形態〕
次に、本発明の第２実施形態に係る施錠機構付き引手装置について、図６、７に基づいて説明する。
図６は、本実施形態の施錠機構付き引手装置３０を示す横断面図である。図７は、施錠機構付き引手装置３０を示す斜視図である。
本実施形態の施錠機構付き引手装置３０は、前述の第１実施形態と同様の引違い窓１０に設けられたものである。
【００３２】
図６、７において、施錠機構付き引手装置３０は、障子１５の縦框１８の室内側に取り付けられ、障子１５の開閉時に手で掴んで開閉操作するための引手部材３１と、この引手部材３１に対応して縦枠１３に設けられた受け部材３２とを備えて構成されている。
引手部材３１は、縦框１８に上下に離隔して固定された２つの腕部３１２と、これらの腕部３１２間に支持されて上下に延びる把持部３１３とを有している。腕部３１２は、一端が縦框１８に固定され、この縦框１８から室内側に向かって延びるとともに、縦枠１３から離れる方向に折れ曲がって形成されている。把持部３１３は、腕部３１２の他端に連結された棒状の部材であり、手で掴みやすい太さを有している。
【００３３】
受け部材３２は、縦枠１３に固定された支持部３３に上下に延びる回動軸３４を介して取り付けられており、回動軸３４に基端が連結されて縦枠１３の見付け方向内方側に延出する延出部３２２と、この延出部３２２の先端から室外側に折れ曲がった折曲部３２３とを有して形成されている。そして、受け部材３２の折曲部３２３は、障子１５を閉じた状態において受け部材３２を障子１５側に回動させることで、引手部材３１の把持部３１３に係合可能になっている。このように、引手部材３１の把持部３１３と、受け部材３２の折曲部３２３とが係合することで、障子１５の開放動作が規制された施錠状態が構成される。また、受け部材３２を縦枠１３側に回動させることで、把持部３１３と折曲部３２３との係合が外れ、障子１５を開放させることができる開錠状態が構成される。
【００３４】
このような本実施形態によれば、以下のような効果がある。
（８）受け部材３２を回動させて折曲部３２３を引手部材３１の把持部３１３に係合させることで、障子１５の開放動作が規制された施錠状態が構成されるので、利用者が必要に応じて引手部材３１と受け部材３２とを係合させればよく、障子１５を開閉するたびに自動的に係合されることがないため、引手部材３１や受け部材３２の摩耗を防止して耐久性を確保することができる。
【００３５】
（９）また、施錠状態および開錠状態を利用者が任意に選択することができ、障子１５を閉じた状態においても、引手部材３１と受け部材３２とを係合させなければ、施錠状態とならないので、引手部材３１やそれ以外の部分を操作して障子１５を開放することができ、室外側からでも障子１５を開放できるため、利用者が閉め出されてしまうことがなく、利便性を確保することができる。
【００３６】
（10）さらに、引手部材３１が縦框１８の室内側に取り付けられ、この引手部材３１に係合する受け部材３２が縦框１８よりもさらに室内側に配置されているので、施錠状態において引手部材３１と受け部材３２との係合部分が室外側から見えにくく、かつ係合部分に工具等が容易に届かないため、防犯性を高めることができる。
【００３７】
（11）引手部材３１および受け部材３２を、縦框１８および縦枠１３に固定する構成としたので、障子１５や窓枠１４の框材や枠材自体の形状を変更する必要がないため、これらの設計、製造にかかるコストの増加を防止することができる。これにより、既設のサッシ窓に、本実施形態の施錠機構付き引手装置３０を後付けで取り付けることもできる。
【００３８】
〔第３実施形態〕
次に、本発明の第３実施形態に係る施錠機構付き引手装置について、図８、９に基づいて説明する。
図８は、本実施形態の施錠機構付き引手装置４０を示す横断面図である。図９は、施錠機構付き引手装置４０を示す斜視図である。
本実施形態の施錠機構付き引手装置４０は、前述の第１実施形態と同様の引違い窓１０に設けられたものである。
【００３９】
図８、９において、施錠機構付き引手装置４０は、前記第３実施形態と略同様の引手部材４１と、この引手部材４１に対応して縦枠１３に設けられた受け部材４２とを備えて構成されている。
引手部材４１は、上下の腕部４１２と、これらの腕部４１２間に支持される把持部４１３と、上側の腕部４１２から縦枠側に延びるとともに、この延びた先端が室内側に折れ曲がって形成された被係合部４１４とを有している。すなわち、上側の腕部４１２は、一端が縦框１８に固定され、この縦框１８から室内側に延びて把持部４１３を支持する部分と、被係合部４１４とから略コ字形に形成されている。
【００４０】
受け部材４２は、縦枠１３にビス止め固定された支持部材４３のスライド孔４３１に上下にスライド自在に取り付けられており、支持部材４３に沿って摺動可能な基板部４２１と、この基板部４２１から縦枠１３の見付け方向内方側に延出する延出部４２２と、この延出部４２２の先端から室外側に折れ曲がった係合部４２３とを有して、クランク状に形成されている。また、受け部材４２の基板部４２１には、支持部材４３のスライド孔４３１に挿入される頭付きのピン４２４が２本固定されており、このピン４２４がスライド孔４３１に案内されることで、受け部材４２が上下にスライド可能になっている。そして、受け部材４２の係合部４２３は、障子１５を閉じた状態において受け部材４２を下方にスライドさせることで、引手部材４１の被係合部４１４に係合可能になっている。このように、引手部材４１の被係合部４１４と、受け部材４２の係合部４２３とが係合することで、障子１５の開放動作が規制された施錠状態が構成される。また、受け部材４２を上方にスライドさせることで、係合部４２３と被係合部４１４との係合が外れ、障子１５を開放させることができる開錠状態が構成される。
【００４１】
また、支持部材４３には、施錠および開錠状態の両状態において受け部材４２を位置決めする位置決め手段が設けられている。この位置決め手段は、スライド孔４３１の上部、および下部位置に形成された突起４３２を有して構成され、この突起４３２に受け部材４２のピン４２４が係止されることで構成されている。この突起４３２の突出寸法は、受け部材４２の自重によってはピン４２４が通過不能で、かつ受け部材４２を手で操作すれば、ピン４２４が突起４３２を乗り越えて通過可能な程度の寸法に設定されている。このような位置決め手段を備えることで、受け部材４２は、自然に下方にスライドしてしまうことがなく、また引手部材４１との係合状態が良好に維持されるようになる。
【００４２】
また、受け部材４２の上部には、施錠状態において引手部材４１の被係合部４１４上方を覆う上面部４２５が設けられており、引手部材４１、つまり障子１５の上方への移動が規制されている。すなわち、施錠状態において障子１５を上方に持ち上げようとしても、引手部材４１が受け部材４２の上面部４２５に係止され、障子１５が持ち上がらず、障子１５の外れを防止できるようになっている。
さらに、受け部材４２の上下寸法を引手部材４１の被係合部４１４の上下寸法よりも長く形成し、施錠状態において受け部材４２の係合部４２３が引手部材４１の被係合部４１４の上方に余るようにしておけば、障子１５が持ち上げられたとしても、係合部４２３と被係合部４１４との係合が外れることがないので、障子１５を外れにくくすることができる。また、引手部材４１の被係合部４１４の先端に折返しを形成し、この折返しに対応させて受け部材４２の係合部４２３の先端にも折返しを形成すれば、室内外方向に関しても引手部材４１と受け部材４２とが係合され、施錠状態において障子１５の外れを防止できるようになる。
【００４３】
このような本実施形態によれば、以下のような効果がある。
（12）受け部材４２をスライドさせて係合部４２３を引手部材４１の被係合部４１４に係合させることで、障子１５の開放動作が規制された施錠状態が構成されるので、利用者が必要に応じて引手部材４１と受け部材４２とを係合させればよく、障子１５を開閉するたびに自動的に係合されることがないため、引手部材４１や受け部材４２の摩耗を防止して耐久性を確保することができる。
【００４４】
（13）また、施錠状態および開錠状態を利用者が任意に選択することができ、障子１５を閉じた状態においても、引手部材４１と受け部材４２とを係合させなければ、施錠状態とならないので、引手部材４１やそれ以外の部分を操作して障子１５を開放することができ、室外側からでも障子１５を開放できるため、利用者が閉め出されてしまうことがなく、利便性を確保することができる。
【００４５】
（14）さらに、引手部材４１が縦框１８の室内側に取り付けられ、この引手部材４１に係合する受け部材４２が縦框１８よりもさらに室内側に配置されているので、施錠状態において引手部材４１と受け部材４２との係合部分が室外側から見えにくく、かつ係合部分に室外側から工具等が容易に届かないため、防犯性を高めることができる。
【００４６】
（15）引手部材４１および受け部材４２を、縦框１８および縦枠１３に固定する構成としたので、障子１５や窓枠１４の框材や枠材自体の形状を変更する必要がないため、これらの設計、製造にかかるコストの増加を防止することができる。これにより、既設のサッシ窓に、本実施形態の施錠機構付き引手装置４０を後付けで取り付けることもできる。
【００４７】
（16）また、施錠状態において、受け部材４２の上面部４２５で引手部材４１の上方が覆われ、引手部材４１の上方への移動が規制されるので、障子１５を持ち上げて窓枠１４から外せないようにでき、さらに防犯性を向上させることができる。
【００４８】
なお、本発明は、前記各実施形態に限定されるものではなく、本発明の目的を達成できる他の構成等を含み、以下に示すような変形等も本発明に含まれる。
例えば、引手部材２１，３１，４１や受け部材２２，３２，４２の形態や、操作方法は、前記各実施形態において説明したものに限定されるものではなく、適宜変更することが可能である。
【００４９】
また、前記実施形態では、引手部材２１，３１，４１や受け部材２２，３２，４２を、縦框１８や縦枠１３にビス止め等により固定する構造としたが、これに限らず、縦框１８や縦枠１３に一体に形成された部位を含んで構成されてもよい。すなわち、前記第１実施形態において、受け部材２２をアルミ形材の縦枠１３に一体に形成してもよく、引手部材２１を支持する支持部材２３を縦框１８に一体に形成してもよい。また、前記第２、３実施形態において、引手部材３１を縦框１８に一体に形成してもよい。この際、前記引手部材３１，４１に代えて、縦框１８の一部を室内側に突出させて引手を形成し、この引手に第２実施形態の受け部材３２の折曲部３２３が係合可能に構成してもよく、引手に第３実施形態の受け部材４２の係合部４２３が係合可能に構成してもよい。
【００５０】
また、前記第３実施形態では、受け部材４２をスライドさせて引手部材４１の被係合部４１４に係合するように構成したが、これに限らず、受け部材を縦枠１３に固定しておき、引手部材を上下にスライドさせて受け部材に係合するように構成してもよい。また、受け部材４２や引手部材のスライド方向は、上下に限らず、左右（室内外）方向としてもよく、斜め方向としてもよい。
さらに、前記第３実施形態では、引手部材４１の上側の腕部４１２に被係合部４１４を形成したが、下側の腕部４１２や把持部４１３に被係合部を形成してもよい。
【００５１】
また、前記実施形態では、障子１５が左右にスライドして開閉される引違い窓１０や片引き窓に施錠機構付き引手装置２０，３０，４０を用いたが、これに限らず、障子が上下にスライド開閉される上げ下げ窓に本発明の施錠機構付き引手装置を用いてもよい。さらに、障子が水平または鉛直な軸回りに回動して開閉される開き窓や、障子が回動かつスライドして開閉される辷り出し窓に本発明の施錠機構付き引手装置を用いてもよい。
【００５２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５３】
【図１】本発明の第１実施形態に係る施錠機構付き引手装置を備えた引違い窓を室内側から見た正面図である。
【図２】(Ａ)，(Ｂ)は、前記引違い窓の一部を拡大して示す正面図である。
【図３】前記施錠機構付き引手装置を示す斜視図である。
【図４】前記施錠機構付き引手装置を示す横断面図である。
【図５】前記施錠機構付き引手装置を示す横断面図である。
【図６】本発明の第２実施形態に係る施錠機構付き引手装置を示す横断面図である。
【図７】前記施錠機構付き引手装置を示す斜視図である。
【図８】本発明の第３実施形態に係る施錠機構付き引手装置を示す横断面図である。
【図９】前記施錠機構付き引手装置を示す斜視図である。
【符号の説明】
【００５４】
１０…サッシ窓である引違い窓、１１…上枠、１２…下枠、１３…縦枠、１４…窓枠、１５…障子、１６…上框、１７…下框、１８…縦框、１９…面材であるガラスパネル、２０，３０，４０…施錠機構付き引手装置、２１，３１，４１…引手部材、２２，３２，４２…受け部材、２４，３４…回動軸、２１２，３１２，４１２…腕部、２１３，３１３，４１３…把持部、２２３，３２３…折曲部、４１４…被係合部、４２３…係合部。
【図１】
2005133383.tif 000003
【図２】
2005133383.tif 000004
【図３】
2005133383.tif 000005
【図４】
2005133383.tif 000006
【図５】
2005133383.tif 000007
【図６】
2005133383.tif 000008
【図７】
2005133383.tif 000009
【図８】
2005133383.tif 000010
【図９】
2005133383.tif 000011